(57)【要約】【課題】積荷用パレットの桟と、桟上にて積荷を支持する支持板との固定を、より確実行うことを可能とする。【解決手段】本願考案に係る積荷用パレットは、少なくとも積荷の積載部が、横断面視におき、上下に伸びる縦板部２１と、当該縦板部２１と交差する方向伸びる横板部２２とを有する、アングル材にて形成されたものであり、上記アングル材は、上記の縦板部２１と横板部２２との間に、斜板部２３を備えたものである。縦板部２１は、横板部２２の上方に位置する。斜板部２３は、横板部２２の左右の一端から横板部２２の内側に向けて上方へ斜めに伸び、縦板部２１の下端と接続されたものである。【選択図】　　　　　図４
0003097892.tif 000002
【実用新案登録請求の範囲】
【請求項１】
少なくとも積荷の積載部が、横断面視におき、上下に伸びる縦板部と、当該縦板部と交差する方向伸びる横板部とを有する複数のアングル材を、配列することによって形成されたものである積荷用パレットにおいて、
上記アングル材は、上記の縦板部と横板部との間に、斜板部を備えたものであり、
縦板部は、横板部の上方に位置し、斜板部は、横板部の左右の一端から横板部の内側に向けて上方へ斜めに伸び、縦板部の下端と接続されたものであることを特徴とする積荷用パレット。
【請求項２】
平面視矩形の枠体と、枠体の内側へ水平に設けられた複数の金属製の桟と、桟に立設されて積荷を受ける金属製の支持板とを備えたものであり、上記桟の夫々は、支持板の下端と対応するベース面と、ベース面の上方に位置し支持板の側面と対応するガイド面とを備えたアングル材である積荷用パレットにおいて、
桟のベース面とガイド面との間には後退面が介在し、後退面は、ガイド面に対し支持板の反対側に後退して、支持板の側面と当接しないものであることを特徴とする積荷用パレット。
【請求項３】
上記の後退面は、ガイド面側からベース面側に向けて漸次後退の幅を大きくする傾斜面であることを特徴とする請求項２記載の積荷用パレット。
【請求項４】
下方にオイルパンを備えるエンジンを、積荷として積載するのに適した積荷用パレットにおいて、
平面視矩形の枠体と、少なくとも上記オイルパンの横幅よりも大きな間隔をあけて枠体の内側に渡された少なくとも２本の金属製の桟と、夫々の桟に立設されて積荷を受ける金属製の支持板とを備えたものであり、桟は、その長手方向に沿って、支持板の下端が溶接されるベース面と、ベース面の上方に位置し支持板の側面が溶接されるガイド面とを備えたアングル材であり、
夫々隣接する桟に設けられた少なくとも２枚の支持板は、互いに対向する位置にあり、両支持板の上端に、エンジンを載置することが可能な載置部が設けられ、両支持板の間に、エンジンのオイルパンを配位させることが可能であり、
桟のベース面とガイド面との間には後退面が介在し、後退面は、ガイド面に対し支持板の反対側に後退して、支持板の側面と当接しないものであり、
上記の後退面は、ガイド面側からベース面側に向けて漸次後退の幅を大きくする傾斜面であることを特徴とする積荷用パレット。
【考案の詳細な説明】
【０００１】
【考案の属する技術分野】
本願考案は、積荷用パレットの改良に関する。
【０００２】
【従来の技術】
例えば、クレーンなどの建機や井戸用のポンプなどに用いられるエンジンを、貨物として、船積みや、貨物車、航空機により輸送する場合、一般に、積荷用のパレットに、積載して、輸送を行う。
【０００３】
具体的には、図７〜図１０に示すような、金属製の積荷用パレットが一般的である。図７はこのパレットの平面図であり、図８は図７のＹ−Ｙ線断面図であり、図９はその正面図である。図１０（Ａ）はこのパレットの要部略断面図であり、図１０（Ｂ）はその斜視図であり、図１０（Ｃ）はその問題点を示す一部切欠要部略断面図である。各図において、Ｕは上方、Ｓは下方、Ｌは左方、Ｒは右方、Ｆは前方、Ｂは後方を、夫々示している。尚図９において、積載されるエンジンを二点鎖線で示している。また、図１０（Ａ）（Ｃ）において、図面に付すべきハッチングは、図面の煩雑を避けるため、省略してある。
【０００４】
上記の各図に示す通り、このパレットは、平面視矩形の枠体ａと、枠体の内側に渡された複数の金属製の桟ｂ…ｂと、桟ｂに立設されて積荷を受ける金属製の支持板ｃとを備えたものである。図１０（Ａ）（Ｂ）へ示す通り、上記の桟ｂは、ｂの長手方向に対する横断面視におき、上下に伸びる縦板部ｂ１と、当該縦板部ｂ１と交差する方向（水平方向）に伸びる横板部ｂ２とからなるＬ型のアングル材である。
【０００５】
図１０（Ａ）（Ｂ）に示す通り、桟ｂの横板部ｂ２の上面ｂ２０には、支持板ｃの下端ｃ１が付き合わされて溶接される。桟ｂの縦板部ｂ１の側面ｂ１０には、支持板ｃの側面ｃ２が沿わされ溶接される。
このように、桟ｂに固定取り付けられる支持板ｃは、その上端に載置部ｃ３が形成され、図９へ示すように、この載置部ｃ３へ、エンジンＭが載置される。
尚、図８及び図９に示すように、輸送中ずれないよう、載置されたエンジンＭには、留板ｄがねじ止めされている。
即ち、留板ｄの一端がリベットにて支持板ｃに軸止され、留板ｄの他の一端が、エンジンに既存のネジ穴を利用してネジ止めされる（図７及び図１０において留板ｄは、省略してある）。
【０００６】
パレットは、重量のあるエンジンの荷重を受けることにより、長期の使用にて、支持板と桟の溶接部の剥離や、座屈という問題を発生する。
特に支持板ｃが溶接される桟ｂは、上記の通り、縦板部ｂ１と横板部ｂ２とが一体となって直角のコーナーを呈するＬ型アングルであるが、金属板の加工上、現実には、縦板部ｂ１と横板部ｂ２とが正確に直線の交差によるコーナーを構成するのは困難であり、図１０（Ｃ）へ示す通り、低板部ｂ１と横板部ｂとが交差する部位ｋは、角にはならず、丸みを帯びたものとなることが避けられない。
このため、この図１０（Ｃ）へ示す通り、支持板ｃを、正確に、横板部ｂ２の上面ｂ２０に当て、縦板部ｂ１の側面ｂ１０に沿わせることはできず、溶接後、パレットの使用によって、溶接が剥離してしまうという危惧があった。
このようなコーナー部の課題が上記の問題を助長している。
【０００７】
【考案が解決しようとする課題】
そこで、本願考案は、積荷用パレットの上記の桟におけるコーナーの問題を回避すると共に、桟と支持板とに十分な支持強度を確保することを可能として、上記の課題の解決を図るものである。
【０００８】
【課題を解決するための手段】
本願第１の考案に係る積荷用パレットにあっては、少なくとも積荷の積載部が、横断面視におき、上下に伸びる縦板部２１と、当該縦板部２１と交差する方向伸びる横板部２２とを有する複数のアングル材を、配列することによって形成されたものであり、次の構成を採る。
即ち、上記アングル材は、上記の縦板部２１と横板部２２との間に、斜板部２３を備えたものである。縦板部２１は、横板部２２の上方に位置する。斜板部２３は、横板部２２の左右の一端から横板部２２の内側に向けて上方へ斜めに伸び、縦板部２１の下端と接続されたものである。
【０００９】
本願第２の考案に係る積荷用パレットは、平面視矩形の枠体１と、枠体の内側へ水平に設けられた複数の金属製の桟２…２と、桟２…２に立設されて積荷を受ける金属製の支持板３…３とを備えたものであり、上記桟２…２の夫々は、支持板３の下端と対応するベース面と、ベース面の上方に位置し支持板３の側面と対応するガイド面とを備えたアングル材であり、次の構成を採る。
即ち、桟２のベース面とガイド面との間には後退面が介在し、後退面は、ガイド面に対し支持板３の反対側に後退して、支持板３の側面と当接しないものである。
【００１０】
本願第３の考案に係る積荷用パレットでは、上記本願第２の考案に係る積荷用パレットにあって、上記の後退面は、ガイド面側からベース面側に向けて漸次後退の幅を大きくする傾斜面であることを特徴とする。
【００１１】
本願第４の考案に係る積荷用パレットは、下方にオイルパンを備えるエンジンを、積荷として積載するのに適した積荷用パレットについて、次の構成を採るものである。
即ち、この積荷用パレットは、平面視矩形の枠体１と、少なくとも上記オイルパンの横幅よりも大きな間隔をあけて枠体１の内側に渡された少なくとも２本の金属製の桟２，２と、夫々の桟２，２に立設されて積荷を受ける金属製の支持板３，３とを備えたものである。桟２は、その長手方向に沿って、支持板３の下端が溶接されるベース面と、ベース面の上方に位置し支持板の側面が溶接されるガイド面とを備えたアングル材である。夫々隣接する桟２，２に設けられた少なくとも２枚の支持板３，３は、互いに対向する位置にあり、両支持板３，３の上端に、エンジンを載置することが可能な載置部が設けられ、両支持板３，３の間に、エンジンのオイルパンを配位させることが可能である。
桟２のベース面とガイド面との間には後退面が介在し、後退面は、ガイド面に対し支持板の反対側に後退して、支持板の側面と当接しないものである。上記の後退面は、ガイド面側からベース面側に向けて漸次後退の幅を大きくする傾斜面である。
【００１２】
上記の手段を採る本願第１〜４の考案にあっては、積載物を直接受ける支持板３といった金属板を桟２へ溶接により立設する場合に、桟２について、溶接される支持板３の下端面と支持板３の側面とがなす角に対応する部位が、支持板３の当該角から後退し、接触しない。
このため、従来問題となった、桟２のコーナー部の丸みによって、支持板３が強固に桟へ固定できないという問題を回避した。即ち、適切な支持板３の下端と、ベース面（横板部上面）及びガイド面（縦板部側面）との当接を実現し、このような桟２と支持板３との適切な当接により、両者の溶接による固定をより確実なものとした。
特に、本願第３及び第４の考案にあっては、上記の後退面は、ガイド面側からベース面側に向けて漸次後退の幅を大きくする傾斜面であるため、支持板３の側面と、桟２のベース面と当該後退面とが、横断面視三角形状の、荷重に対して極めて安定した形態を採る。このため、パレットの長期の使用によっても、座屈などの変形が生じたり、溶接が剥離するなどの問題を抑制した。
【００１３】
【考案の実施の形態】
以下、図面に基づき本願考案の実施の形態について説明する。
図１に本願考案に係る一実施の形態を示す積荷用パレットの平面図を示す。図２（Ａ）に上記パレットの側面図を、同（Ｂ）にその正面図を示す。図３に、積荷を二点鎖線で表した、上記パレットの正面図を示す。図４（Ａ）へ上記パレットの桟と支持板との接合状態を表した略断面図を、同（Ｂ）にその略斜視図を、同（Ｃ）にその要部拡大略断面図を示す。図４において、付すべきハッチングは、図面の煩雑を避けるため、省略している。
説明の便宜上、上記の各図において、Ｕは上方を、Ｓは下方を、Ｌは右方を、Ｒは左方を、Ｆは前方を、夫々示している。
【００１４】
図１及び図２へ示す通り、この積荷用パレットは、平面視矩形の金属製の枠体１と、複数の金属製の桟２…２と、桟２…２に立設された金属製の支持板３…３とを備える。
以下、下方にオイルパンを備えるエンジンを積荷として積載するのに適した積荷用パレットに、本願考案を実施した場合を例に採り、更に詳しく説明する。
【００１５】
矩形の枠体１の四隅には、下部に脚部５…５が設けられ、上部に側取付部６…６が設けられている。
側取付部６…６は、積荷を積載したパレットを複数積み上げる場合など、必要に応じて、パレットに側部を取り付けるための部位である。
【００１６】
桟２…２は、枠体１の内側へ水平に渡され、溶接などの周知の固定手段にて、枠体１に固定されている。また、枠体１には、桟２…２と交差する方向に、副桟７，７が渡され、桟２…桟２を補強している。桟２…２は、支持板３…３、及び副桟７，７と共に、積荷の積載部を構成する。
桟２…２は、２本一組として、対をなし、当該対なす２本の桟２，２は、少なくとも上記オイルパンの幅よりも大きな間隔をあけて枠体１の内側に渡されている。
【００１７】
図４（Ａ）〜（Ｃ）へ示す通り、桟２…２の夫々は、その長手方向（図１及び図２（Ａ）の前後方向Ｆ，Ｂ）に対する横断面視において、上下に伸びる縦板部２１と、当該縦板部２１と交差する（水平）方向伸びる横板部２２と、縦板部２１と横板部２２との間に介在する斜板部２とを備えるアングル材である。
図４（Ａ）へ示す通り、縦板部２１は、横板部２２の上方に位置する。斜板部２３は、横板部２２の左右のいずれか一端から横板部２２の内側（アングルの内側）に向けて上方へ斜めに伸び、縦板部２１の下端と接続されている。
尚、この実施の形態において、枠体１も桟３と同様のアングル材にて形成している。
【００１８】
対なす２本の桟２，２には、その長手方向（図１及び図２（Ａ）の前後方向Ｆ，Ｂ）について、同じ位置に、上記支持板２…２が、溶接により立設される。
支持板３は、側面視において、略矩形の板状体であり、上部に、エンジンＭを載置することが可能な載置部３０が設けられている。
図４（Ａ）〜（Ｃ）へ示す通り、上記の桟２の上記横板部２２の上面は、水平で平らなベース面２２ｆを構成し、上記縦板部２１の内側側面は、鉛直に沿った平らなガイド面２１ｆを構成する。このベース面２２ｆに、支持板３の下端３１が溶接され、ガイド面２１ｆに、支持板３の側面３２が溶接される。
上記斜板部２３の内側（支持板３側）側面は、上記のベース面２２ｆとガイド面２１ｆとの間にあって、後退面２３ｆとなっている。即ち、この後退面２３ｆは、カイド面２１ｆに対し支持板３の反対側に後退して、支持板３の側面３２と当接しない。上記の後退面２３ｆは、ガイド面側２１ｆからベース面２２ｆ側に向けて（即ち上方から下方に向けて）漸次後退の幅ｗを大きくする傾斜面である。この後退面２３ｆと、ベース面側２２ｆと、支持板３の側面３２とが、三角形を呈する。
【００１９】
対となる桟２，２に設けられた、上記２枚の支持板３，３は、互いに対向する位置にあり、その載置部３０にエンジンＭを載置することによって、２枚一組で１機のエンジンＭを支持し、両支持板３，３の間に、エンジンＭのオイルパンｍを配位させることが可能である。
【００２０】
図３へ示すように、載置されたエンジンＭには、輸送中ずれないよう、留板８がボルト止めされている。図２及び図３の８０は、当該ボルト止めのボルトを示している。具体的には、留板８の一端は、リベット８１によって支持板ｃに軸止され、留板８の他の一端が、エンジンＭに既存のネジ穴を利用してネジ止めされる。
図４（Ｂ）に示す２４は、上記リベット８１を軸止するために、支持板３に設けられた貫通孔を示している。
エンジンＭは、輸送後動力源として使用される際には、例えば建機などのボディに取り付けられるものであるため、その表面の各部に、当該取り付け用のネジ穴が設けられている。このようなネジ穴を利用して、上記のボルト止めを行うことができる。
【００２１】
この実施の形態において、図１に示す通り、桟２は、枠体１内側に４本渡され、上記の対を２組構成している。そして、桟２の夫々は、２箇所に支持板３が設けられている。従って、このパレットは、４機のエンジンを積載することができる。
【００２２】
図５へ本願考案の他の実施例に係る積荷用パレットの平面図を示す。また、図６（Ａ）へ図５に示すパレットの正面図を、（Ｂ）へその側面図を示す。
このパレットは、図５へ示す通り、平面視矩形の枠体１の内側に、図１〜図４に示す実施の形態の桟２と同様のアングル材にて形成された副枠体１０，１０が、枠体１の内側に渡されている。副枠体１０の夫々は、平行に配設された２本のアングル材１１，１１にて構成されている。当該アングル材１１，１１間に、桟２…２が１０本（５対）渡されている。この実施の形態では、副枠体１０が２列配列されているので、２０本（１０対）の桟３…３が、枠体１の内側に配列されている。一本の桟２に１つ支持板３を固定することにより、１対の桟２，２は、１組の支持板３，３を供えるものとなり、この図５及び図６へ示すパレットは、１０機のエンジンＭを積載することができる。
この実施の形態において、上記の脚部５…５及び側取付部６…６は、平面視矩形の枠体１の四隅よりも、内側に設けられており、副桟９，９が、上記アングル材１１…１１と交差するように、側取付部６，６間に渡されている。但し、脚部５…５及び側取付部６…６の配設位置は、上記に限定するものではなく、変更可能である。
図５及び図６に示す実施の形態において、特に言及していない構成については、図１及び図４に示す実施の形態と同様である。
【００２３】
【考案の効果】
本願第１〜４の考案の実施によって、積荷用パレットの桟と、桟上にて積荷を支持する支持板との固定を、より確実行うことを可能とした。特に、本第３及び第４の考案の実施によって、上記効果に加えて、積荷に対する支持強度を向上した。
【図面の簡単な説明】
【図１】本願考案に係る一実施の形態を示す積荷用パレットの平面図である。
【図２】（Ａ）は上記パレットの側面図であり、（Ｂ）はその正面図である。
【図３】積荷の積載状態を示す上記パレットの正面図である。
【図４】（Ａ）は上記パレットの桟と支持板との接合状態を示す略断面図であり、（Ｂ）はその略斜視図であり、（Ｃ）はその要部拡大略断面図である。
【図５】本願考案の他の実施例に係る積荷用パレットの平面図である。
【図６】（Ａ）は図５に示すパレットの正面図であり、（Ｂ）はその側面図である。
【図７】従来の積荷用パレットの平面図である。
【図８】図７に示す従来のパレットの側面図である。
【図９】図７及び図８に示す従来のパレットの、積荷の積載状態を示す、正面図である。
【図１０】（Ａ）は図７乃至図９に示す従来のパレットの桟と支持板との接合状態を示す略断面図であり、（Ｂ）はその略斜視図であり、（Ｃ）はその要部拡大略断面図である。
【符号の説明】
１　　枠体
２　　桟
３　　支持板
２１　　縦板部
２２　　横板部
２３　　斜板部
【図１】
0003097892.tif 000003
【図２】
0003097892.tif 000004
【図３】
0003097892.tif 000005
【図４】
0003097892.tif 000006
【図５】
0003097892.tif 000007
【図６】
0003097892.tif 000008
【図７】
0003097892.tif 000009
【図８】
0003097892.tif 000010
【図９】
0003097892.tif 000011
【図１０】
0003097892.tif 000012